(57)【特許請求の範囲】
【請求項１】
ズームレンズを構成するレンズ群を光軸方向に移動させるための移動手段と、前記レンズ群の外部に設けられ、前記レンズ群の移動量に応じて回転動作を行う回転筒と、前記回転筒に取り付けられ、導電部、非導電部との組み合わせによるレンズ位置情報を有するコード板と、金属板によって構成され、前記レンズ群の光軸と略直交するように配置されて前記レンズ群を保持するレンズベース部材と、前記光軸方向に並べて前記レンズベース部材に固定され、前記コード板と接触し、前記コード板との相対位置情報に基づいてレンズ位置の検出を行うための複数のブラシ部材とを備えたズームレンズ鏡筒において、
前記レンズベース部材の一部を前記光軸と平行になるように折り曲げることにより、前記レンズベース部材に一体に形成されたアーム部と、
前記アーム部の先端に一体に設けられ、前記光軸方向に長い長方形に形成されるとともに、前記各ブラシ部材の外側かつ前記各ブラシ部材の先端近傍部分に配置され、前記各ブラシ部材を覆って保護するブラシ保護部材とを設けたことを特徴とするズームレンズ鏡筒。
【請求項２】
前記レンズベース部材の一部を前記アーム部と同一の方向に折り曲げることにより、前記各ブラシ部材を支持するブラシ支持部材を、前記レンズベース部材と一体に構成したことを特徴とする請求項１記載のズームレンズ鏡筒。
【発明の詳細な説明】
【０００１】
【発明の属する技術分野】
本発明は、ズームレンズ鏡筒に関し、詳しくは、コード板とブラシ部材とによるレンズ位置検出手段を備えたズームレンズ鏡筒に関するものである。
【０００２】
【従来の技術】
ズームレンズ鏡筒を光軸方向に移動させるズームレンズカメラでは、焦点位置を算出するために、ズームレンズ鏡筒の位置を検出する手段を備えている。その一例として、特開平７−７２５４３号公報等に開示されているように、ズームレンズ鏡筒に設けられた可動のコード板と、カメラ本体に固定されたブラシ部材からなるレンズ位置検出手段がある。この手段では、コード板とブラシ部材との相対位置の変化によって得られる情報より、ズームレンズ位置を検出することができる。
【０００３】
【発明が解決しようとする課題】
しかしながら、従来の構造では、ブラシ部材が鏡筒外部に露出しており、カメラ組立時において、指先等がブラシ部材に触れることがある。これにより、ブラシ部材が変形してコード板から浮きあがると、レンズ位置の検出不良による誤作動が発生するおそれがある。
【０００４】
本発明は、上記事情を考慮してなされたものであり、ブラシ部材の変形を防止してレンズ位置を正確に検出することのできる、ズームレンズ鏡筒を提供することを目的とする。
【０００５】
【課題を解決するための手段】
上記の目的を達成するために、本発明のズームレンズ鏡筒は、ズームレンズを構成するレンズ群を光軸方向に移動させるための移動手段と、前記レンズ群の外部に設けられ、前記レンズ群の移動量に応じて回転動作を行う回転筒と、前記回転筒に取り付けられ、導電部、非導電部との組み合わせによるレンズ位置情報を有するコード板と、金属板によって構成され、前記レンズ群の光軸と略直交するように配置されて前記レンズ群を保持するレンズベース部材と、前記光軸方向に並べて前記レンズベース部材に固定され、前記コード板と接触し、前記コード板との相対位置情報に基づいてレンズ位置の検出を行うための複数のブラシ部材と、前記レンズベース部材の一部を前記光軸と平行になるように折り曲げることにより、前記レンズベース部材に一体に形成されたアーム部と、前記アーム部の先端に一体に設けられ、前記光軸方向に長い長方形に形成されるとともに、前記各ブラシ部材の外側かつ前記各ブラシ部材の先端近傍部分に配置され、前記各ブラシ部材を覆って保護するブラシ保護部材とを備えたことを特徴とする。
【０００６】
なお、前記レンズベース部材の一部を前記アーム部と同一の方向に折り曲げることにより、前記各ブラシ部材を支持するブラシ支持部材を、前記レンズベース部材と一体に構成すると、より好適である。
【０００７】
【発明の実施の形態】
以下、本発明のズームレンズ鏡筒について、その実施形態を説明する。図１に示すように、本発明のズームレンズ鏡筒は、レンズベース部材１、カム筒２、固定筒３、移動筒４、ブラシ部材５、制御部６等で構成されている。レンズベース部材１はカメラボディに固定されており、カム筒２、固定筒３、移動筒４を保持している。
【０００８】
図２に示すように、レンズベース部材１は、金属板から構成されており、その中心には開口７が形成されている。開口７の奥には電荷結合素子（ＣＣＤ）８が取り付けられており、カメラ内部に入射する被写体光は、光軸１０に沿って開口７を通過し、電荷結合素子８に撮像される。
【０００９】
レンズベース部材１の上部には、ブラシ部材５を保持するためのブラシ支持部１１がレンズベース部材１と一体に設けられ、光軸１０と平行になるように曲げられている。また、ブラシ部材５は、ブラシ固定部材１２に取り付けられ、このブラシ固定部材１２は、ネジ１３によってブラシ支持部１１にネジ止めされている。
【００１０】
レンズベース部材１の側部には、アーム部１４がレンズベース部材１と一体に設けられ、光軸１０と平行になるように曲げられている。アーム部１４の先端には、ブラシ保護部１５がアーム部１４と一体に設けられ、ブラシ部材５と平行になるように曲げられている。このブラシ保護部１５は、ブラシ部材５の外側でブラシ部材５の先端近傍部分に配置されており、ズームレンズ鏡筒の組み立て時において、指やその他の部材がブラシ部材５に接触してブラシ部材が変形することのないように保護している。
【００１１】
カム筒２は、固定筒３の外周に設けられ、光軸１０と垂直な面内で回動可能である。カム筒２の外側にはギヤ部１６が一体に設けられ、ギヤ部１６にはギヤ列２０を介してズーム用モータ１７が接続されている。ズーム用モータ１７で発生した駆動力が減速ギヤ列２０を介してギヤ部１６に伝達されると、カム筒２は光軸１０を中心として回動する。
【００１２】
移動筒４は、固定筒３の内部に設けられ、光軸１０と平行な方向に可動である。移動筒４の内部には、負のパワーを有する第１レンズ群２１、正のパワーを有する第２レンズ群２２、レンズ枠２３、フォーカス用モータ２４、スクリュー２５、ピン２６が設けられている。第１レンズ群２１は移動筒４に固定されており、移動筒４とともに光軸１０と平行な方向に移動する。
【００１３】
本発明のズームレンズ鏡筒内部の断面を図３に示す。第２レンズ群２２を保持するレンズ枠２３には、スクリュー２５に係合するネジ部２７と、ピン２６に係合する開口部３０とが設けられており、これらネジ部２７、開口部３０は、光軸１０と垂直となるように設置される。スクリュー２５とピン２６とは、固定筒３の背面を通して、レンズベース部材１に取り付けられる。スクリュー２５は、フォーカス用モータ２４の回転軸としてフォーカス用モータ２４に取り付けられている。フォーカス用モータ２４が駆動して、スクリュー２５が回転すると、レンズ枠２３は、ネジ部２７を介して光軸１０の方向に移動することができる。ピン２６は、レンズ枠２３の回動を防止するために取り付けられている。
【００１４】
カム筒２の内周部には、第１レンズ群２１を移動させるためのカム溝３１が形成されている。また、移動筒４の外周にはカムピン３２が取り付けられており、固定筒３に形成されているガイド溝３３を通してカム溝３１に係合する。これにより、移動筒４は、カム筒２が回動すると、カムピン３２を介して光軸１０の方向に移動することができる。また、符号３４は、カム筒２の回動の摩擦力を軽減させるために、カム筒２と固定筒３との間に設けられた空間である。このため、カム筒２と固定筒３とは、物体側の一部分のみが接している。
【００１５】
カム筒２の外周部には、コード板３５が形成されており、ブラシ部材５と接触するように設置されている。このコード板３５には、導電部３６と非導電部３７との組み合わせによって、第１レンズ群２１の位置を表すビット情報が記されており、カム筒２とともに回動するコード板３５と、レンズベース部材１に固定されているブラシ部材５との相対位置に応じたビット情報が、ブラシ部材５を介して制御部６に出力され、移動筒４の位置制御、焦点距離の算出に用いられる。
【００１６】
カメラが作動していないときは、移動筒４は、固定筒３の内部に最も深く入り込んだ停止位置にある。カメラに電源が投入されると、ズーム用モータ１７が駆動し、減速ギヤ２０を介してカム筒２が光軸１０を中心として回転する。これにより、移動筒４は光軸１０の方向に繰り出される。その後、移動筒４が図４に示すワイド端位置まで移動すると、ワイド端位置に相当するビット情報がブラシ部材５を介して制御部６に伝達される。そして、制御部６はズームモータ１７の駆動を停止させ、撮影可能状態となる。
【００１７】
この状態でズームモータ１７を駆動させて移動筒４を徐々に繰り出していき、図５に示すように、移動筒４が物体側に最も繰り出されたテレ端位置まで移動すると、テレ端位置に相当するビット情報が制御部６に伝達される。そして、制御部６がズームモータ１７への通電を遮断することにより、移動筒４は停止する。
【００１８】
撮影可能状態では、制御部６は、ブラシ部材５からのビット情報により移動筒４の位置制御を行っているため、移動筒４は、テレ端位置とワイド端位置との間でのみ移動することができる。また、撮影の際は、制御部６がカメラに組み込まれた測距装置からの距離情報と、ブラシ部材からの第１レンズ位置情報をもと、フォーカスモータ２４に通電を行い、第２レンズ群２２を移動させることによって合焦を行う。
【００１９】
電源が切断されると、制御部６は、ズーム用モータ１７を駆動させて移動筒４を停止位置へと移動させる。その後、制御部６は、移動筒４が停止位置に達したことを検出すると、ズーム用モータ１７への通電を遮断して、カメラ本体の動作を終了させる。
【００２０】
このように、第１レンズ群２１の位置検出に用いるブラシ部材５を保護するブラシ保護部材１５を、レンズベース部材１と一体に設けることにより、組み立て時における、ブラシ部材５への指や他の部材の接触が防止される。したがって、ブラシ部材５が変形することがないため、第１レンズ群２１の位置検出を誤るおそれがなくなる。
【００２１】
上記実施形態では、電子スチルカメラ用のズームレンズ鏡筒について説明しているが、もちろん、写真用カメラやビデオカメラ等にも適用することができる。
【００２２】
上記実施形態では、レンズ群が２つのズームレンズ鏡筒について説明しているが、３つ以上のレンズ群を用いて焦点距離の変更を行うズームレンズにも適用することができる。
【００２３】
【発明の効果】
以上説明したように、本発明では、ブラシ部材を保護するためのブラシ保護部材を、レンズベース部材と一体に設けているから、カメラ組み立て時に誤ってブラシ部材に指やその他の部材が接触することがなくなる。従って、ブラシ部材が変形することがなく、変形に起因する検出不良が発生するおそれがなくなる。
【００２４】
また、ブラシ保護部材をブラシ部材の外側でブラシ部材の先端近傍部分に配置したから、接触による変形の影響が大きいブラシ先端部を確実に保護することができる。また、ブラシ支持部材を、レンズベース部材と一体に構成しているから、ブラシ部材とブラシ保護部材を設ける際に、その設置誤差を少なくすることができる。また、レンズベース部材をベース板から構成し、このベース板の一部を折り曲げて、ブラシ保護部材及びブラシ支持部材を構成したから、ズームレンズ鏡筒の構成を簡単にすることができる。
【図面の簡単な説明】
【図１】ズームレンズ鏡筒の外観を示した斜視図である。
【図２】ズームレンズ鏡筒の分解斜視図である。
【図３】ズームレンズ鏡筒の縦断面図である。
【図４】ズームレンズ鏡筒のワイド端での状態を示した横断面図である。
【図５】ズームレンズ鏡筒のテレ端での状態を示した横断面図である。
【符号の説明】
１  レンズベース部材
２  カム筒
３  固定筒
４  移動筒
５  ブラシ部材
１１  ブラシ支持部
１５  ブラシ保護部
２１  第１レンズ群
３５  コード板
【図１】
0004321791.tif 000002
【図２】
0004321791.tif 000003
【図３】
0004321791.tif 000004
【図４】
0004321791.tif 000005
【図５】
0004321791.tif 000006